(57)【要約】      （修正有）【課題】ノイズの発生を抑制し、長寿命化できるＸ線イメージ管の撮像装置を提供する。【解決手段】Ｘ線イメージ管16の撮像装置17は、Ｘ線イメージ管16の出力面23を撮像する。撮像装置17は、撮像部27、回路部28およびＸ線遮蔽部29を備える。撮像部27は、Ｘ線イメージ管16の出力面23を撮像する撮像素子33を有する。回路部28は、撮像素子33を駆動して撮像素子33から出力される信号を処理する。Ｘ線遮蔽部29は、回路部28の少なくともＸ線イメージ管16の出力面23に対向する対向面側を覆う。【選択図】図１
2018098053.tif 000002
【特許請求の範囲】
【請求項１】
Ｘ線イメージ管の出力面を撮像するＸ線イメージ管の撮像装置において、
前記Ｘ線イメージ管の前記出力面を撮像する撮像素子を有する撮像部と、
前記撮像素子を駆動して前記撮像素子から出力される信号を処理する回路部と、
この回路部の少なくとも前記Ｘ線イメージ管の前記出力面に対向する対向面側を覆うＸ線遮蔽部と
を備えることを特徴とするＸ線イメージ管の撮像装置。
【請求項２】
中央部に前記撮像部が配設されるとともに、この撮像部の周囲に前記回路部が配設される撮像装置本体を備え、
前記Ｘ線遮蔽部は、前記撮像部の周囲でかつ少なくとも前記Ｘ線イメージ管の前記出力面に対向する前記撮像装置本体の対向面側に設けられている
ことを特徴とする請求項１記載のＸ線イメージ管の撮像装置。
【発明の詳細な説明】
【技術分野】
【０００１】
本発明の実施形態は、Ｘ線イメージ管の出力面を撮像するＸ線イメージ管の撮像装置に関する。
【背景技術】
【０００２】
Ｘ線イメージ管では、被写体を透過して入力面に入射したＸ線像を光電面で電子に変換し、この電子を加速・集束して、出力面に可視光像として結像している。
【０００３】
Ｘ線イメージ管の出力面に結像された可視光像をＣＣＤまたはＣＭＯＳ等の撮像素子を用いた撮像装置で撮像している。
【０００４】
そして、Ｘ線イメージ管および撮像装置を含むＸ線イメージ管装置を用いたイメージングシステムでは、撮像装置で撮像した映像をモニタに映してモニタリングしたり、パソコン等の処理系統に取り込んで処理、検査、診断を行っている。
【０００５】
ところで、Ｘ線イメージ管の入力面から入射したＸ線の一部は、Ｘ線イメージ管内を通って出力面に出る。Ｘ線イメージ管の出力側には、撮像装置が配設されている他、この撮像装置を覆うＸ線イメージ管装置のカバー等に設けられたＸ線遮蔽部材が配設されているため、Ｘ線イメージ管装置の外部にＸ線が出ることはない。
【０００６】
しかし、Ｘ線イメージ管の出力面から出たＸ線は、Ｘ線イメージ管装置の外部に出ることはないものの、Ｘ線イメージ管の出力面に対向する撮像装置に入射する。この撮像装置は、Ｘ線に対する保護がされていないため、Ｘ線による影響によって撮像装置の性能が劣化するおそれがある。
【０００７】
そして、撮像装置の性能の劣化には、撮像素子の劣化やノイズの発生等がある。
【０００８】
撮像素子の劣化は、宇宙線、放射線が主な原因だが、この劣化は回路部での補正によって補うことが可能となっている。
【０００９】
また、ノイズの発生については、撮像装置は撮像素子を駆動して撮像素子から出力される信号を処理する回路部を備えているが、この回路部に使用される主にはアナログ回路を使用した部品がＸ線のダメージを受けて劣化し、特性の悪化へと繋がりやすい。回路部にノイズが生じると、正常な診断、検査が困難となる。
【００１０】
ノイズは、Ｘ線の入射中のみ発生するものと、Ｘ線の入射時以外にも発生するものがある。
【００１１】
Ｘ線の入射中のみに発生するノイズは、Ｘ線などの放射線も電磁波の一部であるため、これらの照射により回路部の例えばＩＣの内部で発電が起き、それにより生じた余剰電流が増幅されノイズとなる。
【００１２】
Ｘ線の入射時以外にも発生するノイズは、Ｘ線などの放射線が回路部の例えばＩＣの格子構造を破壊し、その結果、暗電流が増え、ノイズとなるもので、ＩＣの内部破壊であるため一過性ではない。
【先行技術文献】
【特許文献】
【００１３】
【特許文献１】特開２０１３−４２９３号公報
【発明の概要】
【発明が解決しようとする課題】
【００１４】
本発明が解決しようとする課題は、ノイズの発生を抑制し、長寿命化できるＸ線イメージ管の撮像装置を提供することである。
【課題を解決するための手段】
【００１５】
本実施形態のＸ線イメージ管の撮像装置は、Ｘ線イメージ管の出力面を撮像する。撮像装置は、撮像部、回路部およびＸ線遮蔽部を備える。撮像部は、Ｘ線イメージ管の出力面を撮像する撮像素子を有する。回路部は、撮像素子を駆動して撮像素子から出力される信号を処理する。Ｘ線遮蔽部は、回路部の少なくともＸ線イメージ管の出力面に対向する対向面側を覆う。
【図面の簡単な説明】
【００１６】
【図１】一実施形態を示すＸ線イメージ管および撮像装置を備えるＸ線イメージ管装置の側面図である。
【図２】同上撮像装置を示し、(a)は側面図、(b)は正面図である。
【発明を実施するための形態】
【００１７】
以下、一実施形態を、図１および図２を参照して説明する。
【００１８】
図１にイメージングシステムを示し、このイメージングシステムは、被写体にＸ線11を照射するＸ線源12、および被写体を透過したＸ線11が入射するＸ線イメージ管装置13等を備えている。
【００１９】
そして、Ｘ線イメージ管装置13は、Ｘ線像を可視光像に変換するＸ線イメージ管16、このＸ線イメージ管16で変換された可視光像を撮像する撮像装置17、これらＸ線イメージ管16および撮像装置17を覆うカバー18等を備えている。
【００２０】
Ｘ線イメージ管16は、真空外囲器21を備えている。この真空外囲器21には、Ｘ線11の入力窓である入力面22、この入力面22に対して反対側に出力窓である出力面23が設けられている。真空外囲器21内には、入力面22から入射するＸ線11を電子に変換する光電面、この光電面で変換された電子を加速・集束して出力面23に電子像として結像する集束電極等が配設されている。そして、出力面23において、結像された電子像を可視光像に変換して出力する。
【００２１】
また、図１および図２に示すように、撮像装置17は、撮像装置本体26、この撮像装置本体26に配設された撮像部27、回路部28およびＸ線遮蔽部29を備えている。そして、撮像装置17は、Ｘ線イメージ管16の出力面23に対して撮像部27が光学的に最適な距離をとるように配設されている。
【００２２】
撮像装置本体26は、両端にフランジ30を有する例えば金属製で円筒状の筐体31を有している。この筐体31の一端面である前面側の中央に開口部32が設けられ、この開口部32の位置に撮像部27が配設されている。
【００２３】
撮像部27は、ＣＣＤまたはＣＭＯＳ等の撮像素子33、およびこの撮像素子33に可視光像を結像する図示しないレンズを備えている。そして、撮像部27は、撮像装置本体26の中央部に配置されている。すなわち、撮像素子33は開口部32に対向して撮像装置本体26内に配置され、レンズは撮像素子33に対向して撮像装置本体26の開口部32の部分に設けられているレンズ取付部に取り付けられている。
【００２４】
回路部28は、撮像素子33を駆動する駆動回路、撮像素子33の出力から映像信号を生成する信号生成回路、撮像素子33で撮像された画像データから出力インターフェースの種類毎の出力信号を作製する出力信号作成回路等を備えている。そして、回路部28は、撮像装置本体26内で、撮像部27が配置される中央部に対してその周辺部の領域に収容配置されている。
【００２５】
Ｘ線遮蔽部29は、例えば鉛やタングステン等のＸ線遮蔽に適した材料により、円板状に形成されている。Ｘ線遮蔽部29はＸ線イメージ管16の出力面23に対向する撮像装置本体26の前面側全体を覆える大きさに形成されており、Ｘ線遮蔽部29の中央部には撮像装置本体26の開口部32に対向するとともに撮像部27（レンズ）が配置される撮像用孔34が設けられている。そして、Ｘ線遮蔽部29は、Ｘ線イメージ管16の出力面23に対向する撮像装置本体26の対向面側である前面側に配設されている。すなわち、このＸ線遮蔽部29により、撮像装置本体26内に収容されていてＸ線イメージ管16の出力面23に対向する回路部28の対向面側を覆う。
【００２６】
また、カバー18は、Ｘ線イメージ管16を覆うＸ線イメージ管カバー37、および撮像装置17を覆う撮像装置カバー38を備えている。撮像装置カバー38の後部には、Ｘ線イメージ管16を通過したＸ線が外部に出るのを遮蔽するＸ線遮蔽部39が配設されている。
【００２７】
そして、図１には、Ｘ線源12から出力されるＸ線11が、Ｘ線イメージ管16の入力面22から入射し、Ｘ線イメージ管16内を通り、Ｘ線イメージ管16の後部から外に出て行く経路を示している。
【００２８】
Ｘ線イメージ管16の後部から外に出たＸ線11は、撮像装置カバー38のＸ線遮蔽部39にて遮蔽されるため、撮像装置カバー38の外部つまりＸ線イメージ管装置13の外部に出ることはない。
【００２９】
このとき、Ｘ線イメージ管16の後部から外に出たＸ線11の一部が撮像装置17に入射する。
【００３０】
ここで、仮に、撮像装置17がＸ線遮蔽部29を備えていなかった場合、撮像装置17に入射するＸ線11が撮像装置本体26のフランジ30を透過して内部の回路部28に入射し、回路部28が備える電子部品にダメージを与えてしまう。そのため、回路部28のＩＣの内部での余剰電流の発生や、Ｘ線11による回路部28のＩＣの格子構造破壊に伴う暗電流の増加等により、ノイズが発生し、撮像装置17の性能が劣化してしまうおそれがある。
【００３１】
本実施形態の撮像装置17では、Ｘ線イメージ管16の出力面23に対向する回路部28の前面側をＸ線遮蔽部29で覆っているため、撮像装置17に入射するＸ線11をＸ線遮蔽部29で遮蔽し、Ｘ線11が撮像装置本体26内の回路部28に入射するのを阻止し、回路部28を保護することができる。
【００３２】
そのため、撮像装置17によれば、回路部28の劣化を防止し、この劣化による回路部28のＩＣの内部での余剰電流の発生や回路部28のＩＣの格子構造破壊に伴う暗電流の増加等によるノイズ発生を抑え、撮像装置17の性能を維持することができる。
【００３３】
また、中央部に撮像部27が配設されるとともに、この撮像部27の周囲に回路部28が配設された撮像装置本体26の構成において、Ｘ線遮蔽部29は、撮像部27の周囲でかつＸ線イメージ管16の出力面23に対向する撮像装置本体26の対向面側に設けられているため、回路部28を確実に保護することができる。
【００３４】
しかも、撮像装置17が備えたＸ線遮蔽部29により、Ｘ線イメージ管16の後部からカバー18内に出たＸ線11を吸収できるため、カバー18内でのＸ線の乱反射が低減され、撮像装置17によって撮像された映像のコントラストを向上できる。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
16    Ｘ線イメージ管
17    撮像装置
23    出力面
26    撮像装置本体
27    撮像部
28    回路部
29    Ｘ線遮蔽部
33    撮像素子
【図１】
2018098053.tif 000003
【図２】
2018098053.tif 000004